(57)【特許請求の範囲】
【請求項１】
少なくとも再生ヘッドの検出幅に相応する最小記録幅を有するデータを記録するために記録ヘッドに記録電流を印加するプリアンプ回路において、
所定の大きさを有する直流信号を発生させる直流信号発生器と、
前記データが３進データの第１値を有する区間で、前記直流信号が前記記録ヘッドに第１方向に印加されるように制御する第１スイッチ回路と、
前記データが前記３進データの第２値を有する区間で、前記直流信号が前記記録ヘッドに前記第１方向と逆になる第２方向に印加されるように制御する第２スイッチ回路と、
最小記録幅に相応する記録周波数より高い周波数を有する高周波信号を発生させる高周波信号発生器と、
前記データが前記３進データの第３値を有する区間で、前記高周波信号が前記記録ヘッドに印加されるように制御する第３スイッチ回路とを備え、
前記記録ヘッドと前記第１スイッチ回路および第２スイッチ回路とは、ブリッジ回路を構成していることを特徴とする、プリアンプ回路。
【請求項２】
前記第１〜第３スイッチ回路は、相互排他的に作動することを特徴とする、請求項１に記載のプリアンプ回路。
【請求項３】
磁気記録媒体を磁化させるための磁界を発生させる記録ヘッドと、
前記記録ヘッドに記録されるデータに相応する記録電流を提供するプリアンプ回路とを備え、
前記プリアンプ回路は、
所定の大きさを有する直流信号を発生させる直流信号発生器と、
前記データが３進データの第１値を有する区間で、前記直流信号が前記記録ヘッドに第１方向に印加されるように制御する第１スイッチ回路と、
前記データが前記３進データの第２値を有する区間で、前記直流信号が前記記録ヘッドに前記第１方向と逆になる第２方向に印加されるように制御する第２スイッチ回路と、
最小記録幅に相応する記録周波数より高い周波数を有する高周波信号を発生させる高周波信号発生器と、
前記データが前記３進データの第３値を有する区間で、前記高周波信号が前記記録ヘッドに印加されるように制御する第３スイッチ回路とを含み、
前記記録ヘッドと前記第１スイッチ回路および第２スイッチ回路とは、ブリッジ回路を構成していることを特徴とする、磁気記録装置。
【請求項４】
前記記録ヘッドは、前記磁気記録媒体の表面に対して垂直の磁界を発生させることを特徴とする、請求項３に記載の磁気記録装置。
【発明の詳細な説明】
【技術分野】
【０００１】
本発明は、磁気記録媒体の磁化状態を変換することによってデータを記録する磁気記録方法、プリアンプ回路および磁気記録装置に関する。
【背景技術】
【０００２】
ハードディスクドライブ（ＨＤＤ：Ｈａｒｄ Ｄｉｓｋ Ｄｒｉｖｅ）は、情報記録のために使われる記録装置である。通常、情報は磁気ディスクの同心円型トラック上に記録される。ディスクは、スピンドルモータに回転自在に搭載され、情報は、ボイスコイルモータ（Ｖｏｉｃｅ Ｃｏｉｌ Ｍｏｔｏｒ：ＶＣＭ）によって回転されるアクチュエータに搭載されたヘッドによってアクセスされる。ＶＣＭは、ＶＣＭ駆動電流によってアクチュエータを回転させ、その結果、ヘッドがディスクを横切って移動する。
【０００３】
ヘッドは、ディスクの表面から出る磁場の変化を感知してディスクの表面に記録された情報を判読する。一方、データを記録するために、記録電流がヘッドに供給され、記録電流によってヘッドから磁界が発生する。この磁界によってディスクの表面が磁化してデータがディスクに記録される。
【０００４】
ＨＤＤにおいて、ディスクは、磁気的にバイナリ情報を記録する。例えば、水平記録方法によるＨＤＤにおいて、磁気ディスクは、トラックの中心線に沿って相互逆になる二方向のうち何れか一方向に磁化する。一方、垂直記録方法によるＨＤＤにおいて、ディスクの表面で垂直線上に上方あるいは下方のうち何れか一方向に磁化する。すなわち、従来のＨＤＤにおいては、バイナリ記録方法、すなわち、２進記録方法によってデータを記録する。
【０００５】
図１は、ＨＤＤを示す図面である。図１を参照すれば、ＨＤＤ １００は、スピンドルモータ１１４によって回転される少なくとも一つのディスク１２を備えている。ＨＤＤ １００は、ディスク１２の表面に隣接して位置したヘッド１６も備えている。
【０００６】
ヘッド１６は、ディスク１２の表面に形成された磁界を感知するか、またはディスク１２の表面を磁化させることによってディスク１２から／に情報を再生／記録しうる。たとえ、図１において、単一のヘッドで示されているとしても、これは、ディスク１２を磁化させるための記録用ヘッドとディスク１２の磁界を感知するための分離された再生用ヘッドとから形成されていると理解されねばならない。ヘッド１６は、スライダー（図示せず）に統合される。スライダーは、ヘッド１６とディスク１２の表面との間に空気軸受を生成させる構造になっており、サスペンション２０に結合されている。
【０００７】
サスペンション２０は、ヘッドスタックアセンブリ（ＨＳＡ：Ｈｅａｄ Ｓｔａｃｋ Ａｓｓｅｍｂｌｙ）２２に結合されている。ＨＳＡ ２２は、ボイスコイル２６を有するアクチュエータアーム２４に付着されている。ボイスコイル２６は、それと共にＶＣＭ３０を特定するマグネチックアセンブリ２８に隣接して位置している。ボイスコイル２６に供給されるＶＣＭ駆動電流は、アクチュエータアーム２４を回転させるトルクを発生させる。アクチュエータアーム２４の回転によってヘッド６がディスク１２の表面を横切って移動する。
【０００８】
図２は、従来の垂直記録方式による記録方法を図式的に示す図面である。ヘッド１６は、磁気誘導方式によってディスクの記録層３６に信号を記録する記録ヘッド３３およびディスクの記録層３６に記録された信号を電気的な信号として読み取る再生ヘッド３４を備える。記録ヘッド３３は、ディスクの記録層３６に記録しようとするデータの値、すなわち、１および０に相応する垂直方向の磁界を印加して信号を記録する。
【０００９】
図２において、記録層３６の磁化状態が上側矢印と下側矢印とで示されている。ディスクの記録層３６は、例えば、上側矢印で表記される磁化状態（第１磁化状態）および下側矢印で表記される磁化状態（第２磁化状態）を有しうる。
【００１０】
再生ヘッド３４は、ディスクの記録層３６に記録された信号の磁束密度および方向を検出して電気的な信号に変換する。このような再生ヘッド３４の例として、ＧＭＲ（Ｇｉａｎｔ Ｍａｇｎｅｔｉｃ Ｒｅｓｉｓｔｉｖｅ）またはＴｕＭＲ（Ｔｕｎｎｅｌｉｎｇ Ｍａｇｎｅｔｉｃ Ｒｅｓｉｓｔｉｖｅ）がある。
【００１１】
再生ヘッド３４の検出幅ＰＷ５０は、ディスクの記録層３６に記録された信号の最小記録幅ＰＷｍｉｎ、すなわち、信号が記録される最小長より大きく設計される。それは、再生ヘッド３４の検出幅が最小記録幅ＰＷｍｉｎより狭い場合には、再生ヘッド３４によって磁束の大きさおよび方向を判別できないためである。
【００１２】
図３は、再生ヘッドの検出幅と最小記録幅との関係を示すグラフである。再生ヘッドの検出幅ＰＷ５０は、最小記録幅ＰＷｍｉｎに相応する再生信号のピーク値の５０％に該当する大きさの間のパルス幅で表される。図３に示したものは、最小記録幅ＰＷｍｉｎに相応する再生信号である。図３を参照すれば、再生ヘッドの検出幅ＰＷ５０は、再生信号の立ち上がり区間でピーク値の５０％に該当する位置と立ち下がり区間でやはりピーク値の５０％に該当する位置との距離ＰＷ５０（Ｐｕｌｓｅ Ｗｉｄ ｔｈａｔ ５０％ ｏｆ ｐｅａｋ ｉｎｔｅｎｓｉｔｙ）で定義される。したがって、ＰＷ５０＞ＰＷｍｉｎの関係を満足する。
【００１３】
このような関係を参照すれば、ＨＤＤの記録密度は、再生ヘッドの検出幅ＰＷ５０によって決定されるということが分かる。
【００１４】
図４Ａ〜図４Ｇは、従来のＨＤＤの記録／再生過程を図式的に示す図面であり、水平記録方式についての図面である。図４Ａはデータクロックを表し、図４Ｂは記録電流を表し、図４Ｃはディスクの記録層３６の磁化遷移状態を表し、図４Ｄは再生ヘッド３４によって検出された再生信号を表し、図４Ｅは図４Ｄの再生信号を１次微分して得られる微分信号を表し、図４Ｆはクロック信号を表し、そして図４Ｇはデータ出力を表す。
【００１５】
データクロック（図４Ａ）の周期Ｔは、最小記録幅ＰＷｍｉｎおよび再生ヘッドの検出幅ＰＷ５０によって決定される。記録電流（図４Ｂ）は、記録しようとするデータに相応する磁界を発生させる。記録電流（図４Ｂ）において、１で表記される区間では、記録ヘッド３３に所定の大きさを有する順方向（第１方向）の電流が印加され、０で表記される区間では、順方向（第１方向）と逆になる逆方向（第２方向）の電流が印加される。このような順方向および逆方向の電流によって、記録ヘッド３３から相互逆になる方向の磁界が発生する。
【００１６】
ディスクの記録層３６は、記録ヘッド３３から発生する磁界によって図４Ｃに示したように磁化される。例えば、データが“１”の値を有する区間では、右側方向（順方向）に連続して磁化され、データが“０”の値を有する区間では、左側方向（逆方向）に連続して磁化される。ここで、データが“１”の値を有する区間とデータが“０”の値を有する区間との長さは、少なくとも最小記録幅ＰＷｍｉｎより大きく（通常、１Ｔ〜１１Ｔ、Ｔは、データクロックの周期）、また、少なくとも最小記録幅ＰＷｍｉｎの間に右側方向あるいは左側方向に連続して磁化される。
【００１７】
ディスクの記録層３６の磁化状態は、再生ヘッド３４によって検出される。再生信号は、ディスクの記録層３６で磁化状態が相互反転される位置（以下、遷移位置）で反転される。
したがって、図４Ｄの再生信号を微分して得られる微分信号（図４Ｅ）のゼロクロスポイントから遷移位置を検出しうる。すなわち、図４Ｆの微分信号を波形整形し、これをデータクロックと同じ周期Ｔを有するクロック信号（図４Ｆ）に同期してサンプリングすることによって、図４Ｇに示されるようなデータ出力が得られる。
【特許文献１】特開平９−１９８６０６号公報
【発明の開示】
【発明が解決しようとする課題】
【００１８】
しかし、前述したような従来の記録方法において、ディスクの磁気記録層３６は、少なくとも最小記録幅ＰＷｍｉｎの間に右側方向（順方向）あるいは左側方向（逆方向）に連続的に磁化される。すなわち、ディスクの記録層３６において、最小記録幅ＰＷｍｉｎに該当する領域は、単に順方向あるいは逆方向の磁化状態のみを有することができ、他の状態は有することができない。
【００１９】
したがって、従来の記録方法における記録密度の上昇は、最小記録幅ＰＷｍｉｎの減少、すなわち、再生ヘッドの検出幅の改善、ディスクの品質改善によってのみ可能であったということが分かる。これにより、従来の記録方法は、再生ヘッドの検出幅によって決定される記録密度より高い記録密度で記録できないという問題点があった。
【００２０】
そこで、本発明は、上記問題に鑑みてなされたものであり、本発明の目的とするところは、３進データを記録可能にしてコーディング効率を向上させることによって、結果的に記録密度を高めることが可能な、新規かつ改良された磁気記録方法、プリアンプ回路および磁気記録装置を提供することにある。
【課題を解決するための手段】
【００２１】
上記課題を解決するために、本発明のある観点によれば、磁気記録媒体の磁化状態を変換させることによって、少なくとも再生ヘッドの検出幅に相応する最小記録幅単位でデータを記録する磁気記録方法において、磁気記録媒体に、データの第１値に相応する３進データを、少なくても最小記録幅を有する第一領域に連続して記録するステップと、データの第２値に相応する３進データを、少なくても最小記録幅を有する第二領域に連続して記録するステップと、データの第３値に相応し、第３領域に再生ヘッドによって検出される磁化の大きさが実質的に０となる状態を形成する３進データを記録するステップと、を含むことを特徴とする、磁気記録方法が提供される。
【００２２】
第３領域に３進データを記録するステップは、第３領域に、最小記録幅より狭い記録幅を有する第１磁化状態および第２磁化状態を交互に形成する３進データを記録してもよい。
【００２３】
第３領域に３進データを記録するステップは、第３領域に、最小記録幅の１／２以下の記録幅を有する第１磁化状態および第２磁化状態を交互に形成する３進データを記録してもよい。
【００２４】
第３領域に３進データを記録するステップは、第３領域に、最小記録幅の１／４以下の記録幅を有する第１磁化状態および第２磁化状態を交互に形成する３進データを記録してもよい。
【００２５】
第３領域は、再生ヘッドによって検出される平均磁束の大きさが実質的に０となってもよい。
【００２６】
磁気記録媒体は、垂直磁気記録媒体であってもよい。
【００２７】
また、上記課題を解決するために、本発明の別の観点によれば、磁気記録媒体の磁化方向を変換させることによってデータを記録する磁気記録方法において、磁気記録媒体から検出される磁束の大きさが実質的に−１となるように磁化する３進データを第１領域に記録するステップと、磁気記録媒体から検出される磁束の大きさが実質的に１となるように磁化する３進データを第２領域に記録するステップと、磁気記録媒体から検出される磁束の大きさが実質的に０となるように磁化する３進データを第３領域に記録するステップと、を含むことを特徴とする、磁気記録方法が提供される。
【００２８】
また、上記課題を解決するために、本発明の別の観点によれば、少なくとも再生ヘッドの検出幅に相応する最小記録幅を有するデータを記録するために記録ヘッドに記録電流を印加するプリアンプ回路において、所定の大きさを有する直流信号を発生させる直流信号発生器と、データが第１値を有する区間で、直流信号が記録ヘッドに第１方向に印加されるように制御する第１スイッチ回路と、データが第２値を有する区間で、直流信号が記録ヘッドに第１方向と逆になる第２方向に印加されるように制御する第２スイッチ回路と、最小記録幅に相応する記録周波数より高い周波数を有する高周波信号を発生させる高周波信号発生器と、データが第３値を有する区間で、高周波信号が記録ヘッドに印加されるように制御する第３スイッチ回路と、備えることを特徴とする、プリアンプ回路が提供される。
【００２９】
第１〜第３スイッチ回路は相互排他的に作動してもよい。
【００３０】
また、上記課題を解決するために、本発明の別の観点によれば、磁気記録媒体を磁化させるための磁界を発生させる記録ヘッドと、所定大きさの直流信号を発生させる直流信号発生器および再生ヘッドの記録幅に相応する記録周波数より高い周波数を有する高周波信号を発生させる交流信号発生器と、記録ヘッドに記録されるデータに相応する記録電流を提供するプリアンプ回路と、を備え、プリアンプ回路は、ディスクに記録されるデータが第１値を有する区間では、直流信号が記録ヘッドに第１方向に印加されるように制御し、記録されるデータが第２値を有する区間では、直流信号が記録ヘッドに第２方向に印加されるように制御し、記録されるデータが第３値を有する区間では、高周波信号が記録ヘッドに印加されるように制御してもよい。
【００３１】
記録ヘッドは、磁気記録媒体の表面に対して垂直の磁界を発生させてもよい。
【発明の効果】
【００３２】
以上説明したように本発明にかかる磁気記録方法、プリアンプ回路および磁気記録装置によれば、本発明による磁気記録方法は、３進データを記録可能にしてコーディング効率を向上させることによって、結果的に記録密度を高めることができる。
【発明を実施するための最良の形態】
【００３３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３４】
図５Ａ〜図５Ｃは、本発明による記録方法を図式的に説明するための図面であって、垂直記録方式に対して適用された例を示す図面である。図５Ａは、データクロックを表し、図５Ｂは、従来の記録方法によるディスクの記録層３６の磁化状態を表し、そして、図５Ｃは、本発明による記録方法によるディスクの記録層３６の磁化状態を表す。ここで、最小記録幅ＰＷｍｉｎおよびデータクロックの周波数Ｔは、再生ヘッドの検出幅ＰＷ５０によって決定される。
【００３５】
従来の記録方法を示す図５Ｂを参照すれば、ディスクの記録層３６に形成された第１領域５２および第２領域５４それぞれにおいて、磁化方向は、全体的、かつ統一的に一致しているということが分かる。
【００３６】
一方、本発明による記録方法を示す図５Ｃを参照すれば、ディスクの記録層３６に形成された第１領域６２および第２領域６４それぞれにおいて、磁化方向は、全体的、かつ統一的に一致しているが、第３領域６６においては、一致していない。これは、第３領域６６において、第１方向の磁界および第２方向の磁界を最小記録幅ＰＷｍｉｎより小さい幅で交互にしることによって、第３領域６６で発生する磁束が再生ヘッド３４によって検出されうるほどの強度を有さないということを意味する。すなわち、第３領域６６で再生ヘッド３４によって検出される平均磁束の大きさは、実質的に０となる。
【００３７】
したがって、第１領域〜第３領域６２〜６６によって、再生ヘッド３４の出力は、１、−１、そして０となり、３進データの記録が可能になるということが分かる。
【００３８】
このように本発明による記録方式によれば、３進データを記録できるので、従来のバイナリ記録方法に比べて理論的に３倍以上にコーディング効率を獲得可能にする。その結果、従来の記録方法に比べて、ディスクおよびヘッドの性能向上がなくても、３倍の記録密度の向上Ｅは、記録容量の増加を可能にする。
【００３９】
図５Ｃに示したような第３領域６６は、再生ヘッド３４の検出幅より狭いパルス幅を有する信号、すなわち、最高記録周波数より高い周波数の信号を記録ヘッド３３に印加することによって形成されうる。この高周波信号において、第１磁化状態および第２磁化状態に相応する電流が最小記録幅ＰＷｍｉｎより狭く交互される。すなわち、この高周波信号の周波数は、ＨＤＤの最高記録周波数より高い。
【００４０】
本実施形態において、この高周波信号の周波数は、ＨＤＤの最高記録周波数より２倍以上であり、望ましくは４倍以上である。
【００４１】
図６は、本実施形態による記録方法における記録電流を示す図面である。図６Ａは、データクロックを示す図面であり、図６Ｂは、記録するデータを示す図面であり、図６Ｃは、本実施形態による記録方法における磁化状態を示す図面であり、図６Ｄは、ヘッドによって再生された再生信号を示す図面であり、図６Ｅは、クロック信号を示す図面であり、そして、図６Ｆは、データ出力を示す図面である。
【００４２】
図６Ａ〜図６Ｆを参照すれば、記録するデータは、図６Ｂに示したように（１,０,−１）の値を有する３進データであり、図６Ｃに示したようにデータの値によって記録層の磁化状態が変わり、図６Ｄに示したように、再生ヘッドから図６Ｂに示したデータに相応する大きさを有する再生信号が得られるということが分かる。特に、記録するデータが０の値を有する区間では、再生ヘッドに検出できない高い周波数で信号が記録されるので、この区間で０の大きさを有する再生信号が得られるということを注目する。
【００４３】
図６Ｂおよび図６Ｃを参照すれば、記録するデータの“１”に該当する区間では、記録ヘッド３３に順方向（第１方向）の記録電流が印加され、“０”に該当する部分では、所定の周波数を有する高周波信号が印加され、そして“−１”に該当する部分では、逆方向（第２方向）の記録電流が印加される。
【００４４】
記録するデータの“０”に該当する区間で、従来のように記録ヘッド３３に第１電流および第２電流を最高記録周波数より速くスイッチングさせることも可能であるが、プリアンプの設計難易度を考慮するとき、別途の高周波信号を作っており、記録するデータの“０”に該当する区間でのみ、この高周波信号が記録ヘッド３３に印加されるようにスイッチングすることが望ましい。
【００４５】
ＨＤＤにおいて、最高記録周波数より高い高周波信号を使用する例としては、バースト信号の線形性を改善するように、バースト信号のエッジを消去するために使われる高周波信号、記録動作が終了した後に記録ヘッドの残留磁界を消去するために使われる消磁信号が挙げられる。
【００４６】
また、このような高周波信号を発生させる高周波信号発生器は、プリアンプ内に含まれるように設計することが望ましい。
【００４７】
図７は、本実施形態による記録方法に適したプリアンプ回路の構成を示すブロック図である。図７に示したプリアンプ回路は、所定大きさの直流信号を発生させる直流電圧発生器７２、記録ヘッド３３に順方向（第１方向）あるいは逆方向（第２方向）の記録電流を印加するためのスイッチ７４ａ,７４ｂ,７６ａ,７６ｂ、記録ヘッド３３に高周波信号を印加するための高周波信号発生器７８、そして記録ヘッド３３に高周波信号を印加するためのスイッチ８０を備える。ここで、スイッチ７４ａ,７４ｂおよびスイッチ７６ａ,７６ｂは、本実施形態の要約での第１スイッチ回路および第２スイッチ回路にそれぞれ相応する。
【００４８】
データの“１”および“−１”に該当する区間で、直流信号発生器７２およびスイッチ７４ａ,７４ｂ,７６ａ,７６ｂによって記録ヘッド３３に順方向電流８２あるいは逆方向電流８４が印加される。
【００４９】
記録ヘッド３３とスイッチ７４ａ,７４ｂ,７６ａ,７６ｂとは、ブリッジ回路を構成している。したがって、スイッチ７４ａ,７４ｂ,７６ａ,７６ｂを適切に開閉することによって、図７に示したように、記録ヘッド３３に順方向電流８２および逆方向電流８４を印加することが可能である。ここで、順方向電流８２および逆方向電流８４は、ディスクの記録層３６における第１磁化状態および第２磁化状態にそれぞれ相応する。
【００５０】
一方、記録するデータの“０”に該当する区間で、高周波信号をヘッドに印加するために高周波信号発生器７８およびスイッチ８０が提供される。スイッチ８０によって記録ヘッド３３に高周波信号が印加される間に、スイッチ７４ａ,７４ｂ,７６ａ,７６ｂは、何れも遮断される。すなわち、第１スイッチ回路７４ａ,７４ｂ、第２スイッチ回路７６ａ,７６ｂ、そして、スイッチ８０は、相互排他的に動作する。
【００５１】
図８は、本発明の望ましい実施形態によるＨＤＤを制御する制御装置２００のブロック図である。制御装置２００は、リード／ライト（Ｒ／Ｗ）チャンネル回路２０４およびリードプリアンプ＆ライトドライバー回路２０６によってヘッド１６に結合されたコントローラ２０２を備えている。コントローラ２０２は、デジタル信号プロセッサー（ＤＳＰ：Ｄｉｇｉｔａｌ Ｓｉｇｎａｌ Ｐｒｏｃｅｓｓｏｒ）、マイクロプロセッサー、マイクロコントローラがある。
【００５２】
コントローラ２０２は、ディスク１２から／にデータをリード／ライトするためにリード／ライト（ＲＷ）チャンネル２０４に制御信号を供給する。情報は、典型的にＲ／Ｗチャンネル２０４からホストインターフェース回路２１０に伝送される。ホストインターフェース回路２１０は、パーソナルコンピュータのようなシステムにインターフェースするための制御回路を備えている。
【００５３】
Ｒ／Ｗチャンネル回路２０４は、再生モードでは、ヘッド１６から読み取られてプリアンプ回路２０６で増幅されたアナログ信号をホストコンピュータ（図示せず）で判読可能なデジタル信号に変調させてホストインターフェース回路２１０に出力するか、またはホストインターフェース回路２１０を通じて受信されたデータをディスクに記録できるように、記録電流に変換させてプリアンプ回路２０６に出力させる。
【００５４】
コントローラ２０２は、ボイスコイル１２６に駆動電流を供給するＶＣＭ駆動部２０８にも結合されている。コントローラ２０２は、ＶＣＭ
３０の励起およびヘッド１６の動きを制御するために、ＶＣＭ駆動部２０８に制御信号を供給する。
【００５５】
コントローラ２０２は、読み取り専用メモリ（ＲＯＭ：Ｒｅａｄ Ｏｎｌｙ Ｍｅｍｏｒｙ）２１４またはフラッシュメモリのような不揮発性メモリおよびランダムアクセスメモリ（ＲＡＭ：Ｒａｎｄｏｍ Ａｃｃｅｓｓ Ｍｅｍｏｒｙ）２１６に結合されている。メモリ２１４,２１６は、ソフトウェアルーチンを実行させるためにコントローラ２０２によって使われる命令語およびデータを含んでいる。
【００５６】
図８に示したＨＤＤにおいて、記録されるデータは、３進にコーディングされる。このようなコーディング動作は、Ｒ／Ｗチャンネル２０４によって行われる。３進データは、プリアンプ回路２０６によってディスク１２に記録される。プリアンプ回路２０６は、図７に示されるような構成を有しうる。説明の簡略化のために、プリアンプ回路２０６の読み取り動作のための構成およびこれについての説明は省略する。
【００５７】
プリアンプ回路２０６は、Ｒ／Ｗチャンネル２０４で印加されるデータの値によって、第１電流、第２電流あるいは第３電流（高周波信号）を記録ヘッド３３に印加する。
ここで、プリアンプ回路２０６は、データが第１値を有する区間で、直流信号発生器で発生した直流信号が記録ヘッド３３に第１方向に印加されるように、すなわち、第１電流が印加されるように制御する。
【００５８】
一方、プリアンプ回路２０６は、データが第２値を有する区間で、直流信号発生器で発生した直流信号が記録ヘッド３３に第２方向に印加されるように、すなわち、第２電流が印加されるように制御する。
【００５９】
そして、プリアンプ回路２０６は、データが第３値を有する区間で、高周波信号が記録ヘッド３３に印加されるように制御する。
【００６０】
以上説明したように、本実施形態は磁気記録方法に係り、さらに詳細には、再生ヘッドの検出幅より小さい幅を有する信号は再生ヘッドによって検出されない特性という特性を利用して３進データの記録を可能にする磁気記録方法、それに適したプリアンプ回路、およびそれを適用した磁気記録装置に関する。
【００６１】
なお、本実施形態において、垂直磁気記録装置、すなわち、磁気記録媒体の表面に対して垂直方向の磁界によって記録層を磁化させる例について説明したが、本発明の原理は、水平記録装置、すなわち、磁気記録媒体の表面に対して平行した磁界によって記録層を磁化させる装置に対しても同一に適用できるということを周知せねばならない。
【００６２】
本発明は、方法、装置、システムとして実行されうる。ソフトウェアで実行される時、本発明の構成手段は、必然的に必要な作業を実行するコードセグメントである。プログラムまたはコードセグメントは、プロセッサー判読可能媒体に保存され、伝送媒体または通信網で搬送波と結合されたコンピュータデータ信号によって伝送されうる。プロセッサー判読可能媒体は、情報を保存または伝送できるいかなる媒体も含む。プロセッサー判読可能媒体の例としては、電子回路、半導体メモリ素子、ＲＯＭ、フラッシュメモリ、ＥＲＯＭ（Ｅｒａｓａｂｌｅ ＲＯＭ）、フロッピー（登録商標）ディスク、光ディスク、ハードディスク、光ファイバ媒体、無線周波数（ＲＦ）網などがある。コンピュータデータ信号は、電子網チャンネル、光ファイバ、空気、電子系、ＲＦ網のような伝送媒体上に伝播されうるいかなる信号も含まれる。
【００６３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６４】
本発明は、ＨＤＤ関連の技術分野に好適に適用可能である。
【図面の簡単な説明】
【００６５】
【図１】ＨＤＤを示す図面である。
【図２】従来の垂直記録方式による記録方法を図式的に示す図面である。
【図３】再生ヘッドの検出幅と最小記録幅との関係を示すグラフである。
【図４】従来のＨＤＤの記録／再生過程を図式的に示す図面である。
【図５】本実施形態による記録方法を図式的に説明するための図面である。
【図６】本実施形態による記録方法における記録電流を示す図面である。
【図７】本実施形態による記録方法に適したプリアンプ回路の構成を示すブロック図である。
【図８】本実施形態によるＨＤＤを制御する制御装置を示すブロック図である。
【符号の説明】
【００６６】
５２、６２    第１領域
５４。６４    第２領域
６６    第３領域
【図１】
0005489193.tif 000002
【図２】
0005489193.tif 000003
【図３】
0005489193.tif 000004
【図４】
0005489193.tif 000005
【図５】
0005489193.tif 000006
【図６】
0005489193.tif 000007
【図７】
0005489193.tif 000008
【図８】
0005489193.tif 000009